(57)【要約】【課題】高い位置精度を保持しつつ組立性が良好で部品点数を削減することが可能なスキャナユニット及びこれを用いた複合処理装置を提供する。【解決手段】本発明のスキャナユニット２０は、スキャナヘッド２１と、このスキャナヘッド２１を保持する保持部材２２とを有する。スキャナヘッド２１は、スキャナ送りローラ３０によって押圧され搬送される用紙Ｓを支持した状態で読み取る。押えばね部２９ａ及び２９ｂ、２９ｃ及び２９ｄを有する押圧プレート２６によってスキャナヘッド２１を保持部材２２の位置決め部２７ａ、２７ｃに付勢して保持する。付勢する方向は、用紙Ｓの搬送方向Ｙに対して上流側方向と、用紙Ｓの押圧方向Ｘに対して反対方向とする。【選択図】　図７
2004015350.tif 000002
【特許請求の範囲】
【請求項１】
所定の搬送方向に搬送され押圧される用紙を読取面上で支持して読み取るスキャナヘッドと、
前記スキャナヘッドを所定の位置決め部に押圧して該スキャナヘッドを位置決め保持する保持部材と、
所定の弾性材料を用いて一体的に形成され、前記スキャナヘッドを前記保持部材の位置決め部に付勢するための押えばね部を有する押圧プレートとを備えたことを特徴とするスキャナユニット。
【請求項２】
請求項１において、前記スキャナヘッドが、異なる２方向に付勢されるように構成されていることを特徴とするスキャナユニット。
【請求項３】
請求項２において、前記スキャナヘッドが、少なくとも前記搬送方向に対して平行な方向に付勢されるように構成されていることを特徴とするスキャナユニット。
【請求項４】
請求項３において、前記スキャナヘッドが、少なくとも前記搬送方向上流側に付勢されるように構成されていることを特徴とするスキャナユニット。
【請求項５】
請求項３又は４のいずれかにおいて、前記スキャナヘッドが、前記用紙の押圧方向に対して平行な方向に付勢されるように構成されていることを特徴とするスキャナユニット。
【請求項６】
請求項５において、前記スキャナヘッドが、前記用紙の押圧方向と反対方向に付勢されるように構成されていることを特徴とするスキャナユニット。
【請求項７】
請求項１乃至請求項６のいずれかにおいて、前記押圧プレートは金属材料からなり、前記スキャナヘッドに設けた接地用のアース部材が前記押圧プレートに電気的に接続されていることを特徴とするスキャナユニット。
【請求項８】
所定の搬送経路に沿って搬送される用紙に対して印字を行う印字ヘッドと、
請求項１乃至請求項７のいずれかに記載のスキャナユニットとを備え、用紙に予め記されている情報及び前記印字ヘッドによって印字された情報を前記スキャナヘッドによって読み取り、この読取情報に基づいて所定の処理を行うように構成されていることを特徴とする複合処理装置。
【発明の詳細な説明】
【０００１】
【発明の属する技術分野】
本発明は、例えば小切手等に印字された文字等を読み取るスキャナ及びこれを用いた複合処理装置に関する。
【０００２】
【従来の技術】
近年、プリンタに、イメージスキャナ等の処理デバイスを追加して複合的な処理を装置として、例えば、印字ヘッド、イメージスキャナ及び磁気ヘッドを備えた小切手処理装置が提案されている。
【０００３】
このような小切手処理装置は、小切手への必要事項の印字処理、印字後の小切手の読取処理、必要に応じ決済機関への読取画像の送信処理を行い、取引内容を電子データとして交換することにより、小切手のオンライン決済がその場で可能になるので便利である。
【０００４】
【発明が解決しようとする課題】
ところで、この種のスキャナにおいては、スキャナヘッドを保持部材によって保持する際に高い位置精度で固定する必要がある。
【０００５】
特に、イメージセンサとしてＣＩＳ（Ｃｏｎｔａｃｔ　Ｉｍａｇｅ　Ｓｅｎｓｏｒ）からなるセンサを用いた場合は、焦点深度が浅いことから、高い位置精度の下で固定することが望まれる。
【０００６】
このような要望に応えるためには、例えばねじ等を用いて位置決めを行うことが考えられるが、その場合には、ねじによる締め付けトルクの管理が必要になるため組立工数が複雑になるとともに、小さなねじの締め付け作業を行わなければならないので組立作業に時間を要することになる。
【０００７】
また、装置全体として部品点数が多くなるという問題もある。
【０００８】
本発明は、このような従来の技術の課題を解決するためになされたもので、その目的は、高い位置精度を保持しつつ組立性が良好で部品点数を削減することが可能なスキャナユニット及びこれを用いた複合処理装置を提供することにある。
【０００９】
【課題を解決するための手段】
上記目的を達成するためになされた本発明は、所定の搬送方向に搬送され押圧される用紙を読取面上で支持して読み取るスキャナヘッドと、前記スキャナヘッドを所定の位置決め部に押圧して該スキャナヘッドを位置決め保持する保持部材と、所定の弾性材料を用いて一体的に形成され、前記スキャナヘッドを前記保持部材の位置決め部に付勢するための押えばね部を有する押圧プレートとを備えたことを特徴とするスキャナユニットである。
【００１０】
本発明の場合、前記スキャナヘッドが、異なる２方向に付勢されるように構成されていることも効果的である。
【００１１】
また、前記スキャナヘッドが、少なくとも前記搬送方向に対して平行な方向に付勢されるように構成されていることも効果的である。
【００１２】
さらに、前記スキャナヘッドが、少なくとも前記搬送方向上流側に付勢されるように構成されていることも効果的である。
【００１３】
さらにまた、前記スキャナヘッドが、前記用紙の押圧方向に対して平行な方向に付勢されるように構成されていることも効果的である。
【００１４】
さらにまた、前記スキャナヘッドが、前記用紙の押圧方向と反対方向に付勢されるように構成されていることも効果的である。
【００１５】
さらにまた、前記押圧プレートは金属材料からなり、前記スキャナヘッドに設けた接地用のアース部材が前記押圧プレートに電気的に接続されていることも効果的である。
【００１６】
一方、本発明は、所定の搬送経路に沿って搬送される用紙に対して印字を行う印字ヘッドと、上述のいずれかのスキャナユニットとを備え、用紙に予め記されている情報及び前記印字ヘッドによって印字された情報を前記スキャナヘッドによって読み取り、この読取情報に基づいて所定の処理を行うように構成されていることを特徴とする複合処理装置である。
【００１７】
本発明のスキャナユニットは、所定の弾性材料からなる押圧プレートの押えばね部によってスキャナヘッドを保持部材の位置決め部に付勢するようにしたことから、ねじによる締め付けトルクの管理等の必要がなく、組立工程を容易簡素化することが可能になる。
【００１８】
また、本発明の押圧プレートは、一体的に形成されていることから、部品点数が増加することもない。
【００１９】
その結果、本発明によれば、高い位置精度を保持しつつ組立工数及び部品点数を削減することが可能なスキャナユニットを提供することができる。
【００２０】
また、本発明において、スキャナヘッドが、異なる２方向に付勢されるように構成されていれば、スキャナヘッドの位置精度をより向上させることが可能になる。
【００２１】
特に、スキャナヘッドが、少なくとも用紙の搬送方向に対して平行な方向（例えば搬送方向上流側）に付勢されるように構成されていれば、用紙の搬送方向の位置決めを正確に行うことができるので、用紙の押圧位置と読取位置をより近づけることができ、読取精度を向上させることが可能になる。
【００２２】
また、スキャナヘッドが、用紙の押圧方向に対して平行な方向（例えば押圧方向と反対方向）に付勢されるように構成されていれば、用紙の押圧位置と読取位置をより近づけることができ、例えば焦点深度の浅いセンサを用いる場合であっても、高い精度で読み取りを行うことができる。
【００２３】
さらに、押圧プレートが金属材料からなり、スキャナヘッドを接地するためのアース部材が押圧プレートに電気的に接続されている場合には、用紙を搬送する際に発生する静電気を逃がすことができ、読取画質を向上させることが可能になる。
【００２４】
このように、本発明によれば、高い位置精度を保持しつつ組立工数が簡素で部品点数の少ない複合処理装置を提供することができる。
【００２５】
【発明の実施の形態】
以下、本発明に係るスキャナユニット及びこれを用いた複合処理装置の実施の形態を図面を参照して詳細に説明する。
【００２６】
図１は、本実施の形態の複合処理装置の概略構成を示す側面図である。
【００２７】
図１に示すように、本実施の形態の複合処理装置１は、その内部に、挿入口２から排出口３に至る用紙Ｓ（図５参照）の搬送経路Ｐが設けられている。
【００２８】
ここで、搬送経路Ｐは、挿入口２側が水平方向を向く一方で、排出口３側が鉛直方向を向き、側方から見てＬ字状に屈曲するように形成されている。
【００２９】
搬送経路Ｐ上には、挿入口２側から順に、用紙後端検出器４、ＭＩＣＲヘッド５、第１の送りローラ対６、用紙先端検出器７、用紙位置決め部材８、裏印字ヘッド９、第２の送りローラ対１０、表印字ヘッド１１、用紙排出検出器１２、後述するスキャナヘッド２１及びスキャナ送りローラ３０が配設されている。
【００３０】
図２は、本実施の形態の表印字ヘッド及びスキャナユニットの外観構成を示す斜視図、図３及び図４は、同スキャナユニット及びキャリッジカバーの外観構成を示す分解斜視図である。
【００３１】
本実施の形態の表印字ヘッド１１は、例えば、小切手等の用紙Ｓの表面に、支払先、日付、金額等の表書き印字を行うものである。
【００３２】
図２に示すように、この表印字ヘッド１１は、キャリッジ軸１５に支持されたシリアル式の印字ヘッド１１ａを有し、用紙Ｓの幅方向に移動しつつ、リボンカートリッジ１６から繰り出されるインクリボン１７のインクを用紙Ｓに転写するように構成されている。
【００３３】
そして、本実施の形態においては、リボンカートリッジ１６を装着するための金属からなるキャリッジカバー１８に、スキャナユニット２０が組み付けられる。
【００３４】
図２に示すように、スキャナユニット２０は、表印字ヘッド１１の上方に位置するように構成されている。
【００３５】
本実施の形態のスキャナユニット２０は、用紙Ｓを読み取るためのスキャナヘッド２１と、このスキャナヘッド２１を保持するための保持部材２２とを有している。
【００３６】
ここで、スキャナヘッド２１は、密着型イメージセンサからなるライン型イメージセンサ２３を有し、このイメージセンサ２３は、細長形状のスキャナ本体２４内に配置されている。
【００３７】
このスキャナ本体２４は、透明な例えばガラスからなる平面状のスキャナ読取面（読取面）２５を有し、このスキャナ読取面２５が搬送経路Ｐと平行になるように配置される。本実施の形態の場合は、スキャナ読取面２５が鉛直方向を向くように配置される。
【００３８】
図１に示すように、スキャナ送りローラ３０は、搬送経路Ｐを挟んでスキャナ読取面２５と対向する位置に配置され、搬送経路Ｐに沿って搬送される用紙Ｓをスキャナ読取面２５に押圧するように構成されている。
【００３９】
保持部材２２は、例えば樹脂を用いて一体的に形成され、この保持部材２２には、図３に示すように、スキャナ本体２４とほぼ同じ大きさの収容開口部２７が設けられている。
【００４０】
そして、本実施の形態のスキャナユニット２０は、図４に示すように、保持部材２２の収容開口部２７にスキャナヘッド２１を挿入し、後述する押圧プレート２６で保持することによって一体化される。
【００４１】
なお、図２に示すように、スキャナヘッド２１が保持部材２２に保持された状態では、スキャナ読取面２５は露出するようになっている。
【００４２】
また、スキャナヘッド２１の背面側、すなわち、スキャナ読取面２５と反対側の部分には、接地用のアース部材２８が設けられている。
【００４３】
図５は、本実施の形態のスキャナユニットの要部を示す断面図である。図６は、同スキャナユニット及びキャリッジカバーの外観構成を背面側から示す斜視図、
図７（ａ）は、図６のＡ−Ａ線断面図で、スキャナヘッドを挿入する前の状態を示すもの、図７（ｂ）は、図６のＡ−Ａ線断面図で、スキャナヘッドを挿入した状態を示すものである。
【００４４】
本実施の形態の押圧プレート２６は、金属弾性材料からなるもので、図３及び図５に示すように、スキャナヘッド２４とほぼ同等の大きさの一体的な板状の部材から構成されている。
【００４５】
この押圧プレート２６は断面Ｌ字形状に形成され、その直交する平板部分２６ａ、２６ｂには、それぞれ一対の舌片状の押えばね部２９ａ及び２９ｂ、２９ｃ及び２９ｄが設けられている。
【００４６】
図５及び図７（ｂ）に示すように、押圧プレート２６の押えばね部２９ａ及び２９ｂ、２９ｃ及び２９ｄは、平板部分２６ａ、２６ｂを互いに拡げる方向に若干はみ出すように折曲形成されている。
【００４７】
図７（ａ）に示すように、保持部材２２の収容開口部２７は、搬送方向Ｙの上流側及び下流側の壁面部分が平行な平面状に形成されている。本実施の形態においては、搬送方向Ｙの上流側の部分が、スキャナヘッド２１を搬送方向Ｙに対して位置決めする位置決め部２７ａとなり、搬送方向Ｙの下流側の部分が押圧プレート２６の押えばね部２９ａ及び２９ｂと当接する当接部２７ｂとなるように構成されている。
【００４８】
さらに、保持部材２２の収容開口部２７には、用紙Ｓの押圧方向Ｘに対して反対方向側の部分に、スキャナヘッド２１のスキャナ読取面２５と部分的に係合してスキャナヘッド２１を押圧方向Ｘに対して位置決めするための位置決め部２７ｃが設けられている。
【００４９】
また、上述したキャリッジカバー１８の端部は断面Ｌ字形状に形成され、搬送方向Ｙと平行な平板状の支持部１８ａが設けられている。
【００５０】
このような構成を有する本実施の形態においては、図３及び図４に示すように、スキャナヘッド２１の背面に押圧プレート２６を装着し、これらスキャナヘッド２４と押圧プレート２６を保持部材２２の収容開口部２７に挿入する。
【００５１】
そして、スキャナヘッド２４の背面側の部分をキャリッジカバー１８に対向させてこれらを組み付ける。
【００５２】
これにより、図７（ａ）（ｂ）に示すように、保持部材２２の収容開口部２７内において、押圧プレート２６の押えばね部２９ａ及び２９ｂ、２９ｃ及び２９ｄの弾性力によってスキャナヘッド２１の下側部分が位置決め部２７ａに付勢されるとともにスキャナ読取面２５が位置決め部２７ｃに付勢される。
【００５３】
さらに、スキャナヘッド２１のアース部材２８と押圧プレート２６の平板部分２６ｂが接触し、これにより押圧プレート２６を介してアース部材２８とキャリッジカバー１８の支持部１８ａとが電気的に接続される。
【００５４】
このように、本実施の形態によれば、所定の金属弾性材料からなる押圧プレート２６の押えばね部２９ａ及び２９ｂ、２９ｃ及び２９ｄによってスキャナヘッド２１を保持部材２２の位置決め部２７ａ、２７ｃに付勢するようにしたことから、ねじによる締め付けトルクの管理等の必要がなく、組立工程を容易簡素化することが可能になる。
【００５５】
また、本実施の形態の押圧プレート２６は、一体的に形成されていることから、部品点数が増加することもない。
【００５６】
さらに、本実施の形態においては、スキャナヘッド２１が、用紙Ｓの搬送方向Ｙに対して平行な方向（搬送方向Ｙ上流側）に付勢されるように構成されていることから、用紙Ｓの搬送方向Ｙの位置決めを正確に行って用紙Ｓの押圧位置と読取位置をより近づけることができ、読取精度を向上させることが可能になる。
【００５７】
また、スキャナヘッド２１が、用紙Ｓの押圧方向Ｘに対して平行な方向（押圧方向Ｘと反対方向）に付勢されるように構成されていることから、焦点深度の浅いＣＩＳを用いた本実施の形態においても、高い精度で読み取りを行うことができる。
【００５８】
さらに、押圧プレート２６が金属材料からなり、スキャナヘッド２１を接地するためのアース部材２８が押圧プレート２６を介してキャリッジカバー１８に電気的に接続されていることから、用紙Ｓを搬送する際に発生する静電気を逃がすことができ、高画質で読取を行うことができる。
【００５９】
このように、本発明によれば、高い位置精度を保持しつつ組立工数が簡素で部品点数の少ない複合処理装置１を提供することができる。
【００６０】
なお、本発明は上述の実施の形態に限られることなく、種々の変更を行うことができる。
【００６１】
例えば、上述の実施の形態においては、舌片状の押えばね部を設けるようにしたが、本発明はこれに限られず、種々の形状の押えばね部を設けることができ、また押えばね部の数、配置等についても適宜変更することができる。
【００６２】
さらに、上述の実施の形態においては、用紙の搬送方向と押圧方向とに対して平行な方向にスキャナヘッドを付勢して位置決めするようにしたが、他の方向について位置決めすることも可能である。
【００６３】
ただし、上述の実施の形態のように、用紙の搬送方向と押圧方向とに対して平行な方向に位置決めすれば、かなりの高精度の読み取りを行うことができる。
【００６４】
さらにまた、本発明は小切手等を読み取って印字する複合処理装置のみならず、種々の読み取り、印字を行う装置に適用することができる。
【００６５】
ただし、上記実施の形態のような複合処理装置に適用した場合に最も有効となるものである。
【００６６】
【発明の効果】
以上述べたように本発明によれば、所定の弾性材料からなる押圧プレートの押えばね部によってスキャナヘッドを保持部材の位置決め部に付勢するようにしたことから、ねじによる締め付けトルクの管理が必要なく、組立工程を容易簡素化することができる。
【００６７】
また、本発明の押圧プレートは、一体的に形成されていることから、部品点数が増加することもない。
【００６８】
その結果、本発明によれば、高い位置精度を保持しつつ組立工数及び部品点数を削減することが可能なスキャナユニットを提供することができる。
【００６９】
また、本発明においては、スキャナヘッドを異なる２方向に付勢するように構成することによって、スキャナヘッドの位置精度をより向上させることができる。
【００７０】
特に、スキャナヘッドを、少なくとも用紙の搬送方向に対して平行な方向（例えば搬送方向上流側）に付勢するように構成することにより、用紙の搬送方向の位置決めを正確に行うことができるので、用紙の押圧位置と読取位置をより近づけることができ、読取精度を向上させることができる。
【００７１】
また、スキャナヘッドを、用紙の押圧方向に対して平行な方向（例えば押圧方向と反対方向）に付勢するように構成することにより、用紙の押圧位置と読取位置をより近づけることができ、例えば焦点深度の浅いセンサを用いる場合であっても、高い精度で読み取りを行うことができる。
【００７２】
さらに、押圧プレートが金属材料からなり、スキャナヘッドを接地するためのアース部材が押圧プレートに電気的に接続されている場合には、用紙を搬送する際に発生する静電気を逃がすことができ、読取画質を向上させることができる。
【００７３】
このように、本発明によれば、高い位置精度を保持しつつ組立工数が簡素で部品点数の少ない複合処理装置を提供することができる。
【図面の簡単な説明】
【図１】本発明に係る複合処理装置の実施の形態の概略構成を示す側面図である。
【図２】同実施の形態における表印字ヘッド及びスキャナユニットの外観構成を示す斜視図である。
【図３】同スキャナユニット及びキャリッジカバーの外観構成を示す分解斜視図である。
【図４】同スキャナユニット及びキャリッジカバーの外観構成を示す分解斜視図である。
【図５】図５は、本実施の形態のスキャナユニットの要部を示す断面図である。
【図６】同スキャナユニット及びキャリッジカバーの外観構成を背面側から示す斜視図である。
【図７】（ａ）：図６のＡ−Ａ線断面図で、スキャナヘッドを挿入する前の状態を示すものである。
（ｂ）：図６のＡ−Ａ線断面図で、スキャナヘッドを挿入した状態を示すものである。
【符号の説明】
１　　複合処理装置
１１　　表印字ヘッド
１１ａ　印字ヘッド
１６　　リボンカセット
１７　　インクリボン
２０　　スキャナユニット
２１　　スキャナヘッド
２２　　保持部材
２３　　ライン型イメージセンサ
２４　　スキャナ本体
２５　　スキャナ読取面（読取面）
２７　　収容開口部
２７ａ、２７ｃ　位置決め部
２８　　アース部材
３０　　スキャナ送りローラ
【図１】
2004015350.tif 000003
【図２】
2004015350.tif 000004
【図３】
2004015350.tif 000005
【図４】
2004015350.tif 000006
【図５】
2004015350.tif 000007
【図６】
2004015350.tif 000008
【図７】
2004015350.tif 000009